(57)【要約】【課題】背景を透過するグラフィック画像を高い視認性で表示することができる技術を提供する。【解決手段】本発明の表示装置は、目標輝度を設定する設定手段と、前記設定手段で設定された目標輝度の光を発する発光手段と、目標輝度と透明度の対応関係を表す所定の対応情報から、前記設定手段で設定された目標輝度に対応する透明度を判断する判断手段と、前記判断手段で判断された透明度のグラフィック画像が重畳された合成画像を表す合成画像データを生成する合成手段と、前記発光手段からの光を前記合成画像データに基づいて変調することにより、画面上に合成画像を表示する表示手段と、を有する。【選択図】図１
2015138258.tif 000002
【特許請求の範囲】
【請求項１】
目標輝度を設定する設定手段と、
前記設定手段で設定された目標輝度の光を発する発光手段と、
目標輝度と透明度の対応関係を表す所定の対応情報から、前記設定手段で設定された目標輝度に対応する透明度を判断する判断手段と、
前記判断手段で判断された透明度のグラフィック画像が重畳された合成画像を表す合成画像データを生成する合成手段と、
前記発光手段からの光を前記合成画像データに基づいて変調することにより、画面上に合成画像を表示する表示手段と、
を有することを特徴とする表示装置。
【請求項２】
前記設定手段は、前記画面の領域を構成する複数の分割領域のそれぞれに対して目標輝度を設定し、
前記発光手段は、前記分割領域毎に、その分割領域に対して設定された目標輝度の光を発し、
前記判断手段は、前記グラフィック画像の表示位置を含む分割領域に対して設定された目標輝度に対応する透明度を判断する
ことを特徴とする請求項１に記載の表示装置。
【請求項３】
前記所定の対応情報は、目標輝度が高いほど低い透明度を示す
ことを特徴とする請求項１または２に記載の表示装置。
【請求項４】
前記所定の対応情報は、画素値と目標輝度の組み合わせと透明度との対応関係を表し、
前記判断手段は、前記グラフィック画像の画素毎に、前記所定の対応情報から、その画素の画素値と、前記設定手段で設定された目標輝度と、の組み合わせに対応する透明度を判断する
ことを特徴とする請求項１〜３のいずれか１項に記載の表示装置。
【請求項５】
前記グラフィック画像の画素毎に、透明度の初期値である初期透明度が設定されており、
前記所定の対応情報は、初期透明度と目標輝度の組み合わせと透明度との対応関係を表し、
前記判断手段は、前記所定の対応情報から、前記グラフィック画像の各画素の初期透明度の最大値と、前記設定手段で設定された目標輝度と、の組み合わせに対応する透明度を判断し、
前記合成手段は、各画素が前記判断手段で判断された透明度と前記初期透明度とを合成した透明度を有するグラフィック画像が重畳された合成画像を表す合成画像データを生成する
ことを特徴とする請求項１〜３のいずれか１項に記載の表示装置。
【請求項６】
前記初期透明度は、画素値に応じた透明度である
ことを特徴とする請求項５に記載の表示装置。
【請求項７】
目標輝度の光を発する発光手段と、前記発光手段からの光を合成画像データに基づいて変調することにより、画面上に合成画像を表示する表示手段と、を有する表示装置の制御方法であって、
目標輝度を設定する設定ステップと、
目標輝度と透明度の対応関係を表す所定の対応情報から、前記設定ステップで設定された目標輝度に対応する透明度を判断する判断ステップと、
前記判断ステップで判断された透明度のグラフィック画像が重畳された合成画像を表す合成画像データを生成する合成ステップと、
を有することを特徴とする表示装置の制御方法。
【請求項８】
前記設定ステップでは、前記画面の領域を構成する複数の分割領域のそれぞれに対して目標輝度を設定し、
前記発光手段は、前記分割領域毎に、その分割領域に対して設定された目標輝度の光を発し、
前記判断ステップでは、前記グラフィック画像の表示位置を含む分割領域に対して設定された目標輝度に対応する透明度を判断する
ことを特徴とする請求項７に記載の表示装置の制御方法。
【請求項９】
前記所定の対応情報は、目標輝度が高いほど低い透明度を示す
ことを特徴とする請求項７または８に記載の表示装置の制御方法。
【請求項１０】
前記所定の対応情報は、画素値と目標輝度の組み合わせと透明度との対応関係を表し、
前記判断ステップでは、前記グラフィック画像の画素毎に、前記所定の対応情報から、その画素の画素値と、前記設定ステップで設定された目標輝度と、の組み合わせに対応する透明度を判断する
ことを特徴とする請求項７〜９のいずれか１項に記載の表示装置の制御方法。
【請求項１１】
前記グラフィック画像の画素毎に、透明度の初期値である初期透明度が設定されており、
前記所定の対応情報は、初期透明度と目標輝度の組み合わせと透明度との対応関係を表し、
前記判断ステップでは、前記所定の対応情報から、前記グラフィック画像の各画素の初期透明度の最大値と、前記設定ステップで設定された目標輝度と、の組み合わせに対応する透明度を判断し、
前記合成ステップでは、各画素が前記判断ステップで判断された透明度と前記初期透明度とを合成した透明度を有するグラフィック画像が重畳された合成画像を表す合成画像データを生成する
ことを特徴とする請求項７〜９のいずれか１項に記載の表示装置の制御方法。
【請求項１２】
前記初期透明度は、画素値に応じた透明度である
ことを特徴とする請求項１１に記載の表示装置の制御方法。
【請求項１３】
請求項７〜１２のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
表示装置として、バックライトと液晶パネルを有する液晶表示装置がある。液晶表示装置では、バックライトからの光が画像データに応じた透過率で液晶パネルを透過することにより、画面上に画像が表示される。
液晶表示装置では、バックライトの光源として発光ダイオード（ＬＥＤ：Ｌｉｇｈｔ  Ｅｍｉｔｔｉｎｇ  Ｄｉｏｄｅ）が使用される機会が増している。
【０００３】
液晶表示装置に関する技術として、液晶表示装置に設けられたセンサ（バックライトからの光を検出するセンサ）の検出値に基づいて、バックライトの発光輝度が目標輝度に一致するように、バックライトの発光輝度を制御する技術がある。
【０００４】
また、液晶表示装置に関する技術として、液晶表示装置の用途、表示対象の画像データの内容（種類）、等に応じて、バックライトの目標輝度を決定（変更）する技術がある。このような技術では、例えば、医療診断のために液晶表示装置を使用する場合と、そうでない場合とで、異なる目標輝度が設定される。また、画面の領域の一部の領域に対して、他の領域と異なる目標輝度が設定されることもある。例えば、医療診断のための画像（例えばレントゲン写真）が表示される領域と、それ以外の領域とで、異なる目標輝度が設定されることがある。
【０００５】
液晶表示装置は、一般的に、グラフィック画像を表示する機能を有する。グラフィック画像は、例えば、メニュー画像、マーカー画像、等のＯＳＤ（Ｏｎ  Ｓｃｒｅｅｎ  Ｄｉｓｐｌａｙ）画像である。
しかしながら、上述したようにバックライトの目標輝度が変更されてバックライトの発光輝度が変更されると、グラフィック画像が明るく表示されたり、暗く表示されたりしてしまう。そのため、グラフィック画像の視認性が低下してしまうことがある。
【０００６】
このような課題を解決するための技術として、例えば、特許文献１に開示の技術がある。特許文献１に開示の技術では、バックライトの発光輝度の変化と相殺するように、グラフィック画像の明度が変更される。
【０００７】
ここで、上述したグラフィック画像は、背景を透過するように表示されることがあり、グラフィック画像の透明度とバックライトの発光輝度（具体的にはグラフィック画像を透過する背景の明るさ）との組み合わせに依ってグラフィック画像の視認性は変化する。例えば、背景が明るかったり暗かったりすると、グラフィック画像は見づらくなる。
しかしながら、特許文献１に開示の技術ではグラフィック画像の透明度は考慮されていないため、特許文献１に開示の技術を用いたとしてもグラフィック画像の視認性が低下してしまうことがある。
【先行技術文献】
【特許文献】
【０００８】
【特許文献１】特開２００８−１１６５５５号公報
【発明の概要】
【発明が解決しようとする課題】
【０００９】
本発明は、背景を透過するグラフィック画像を高い視認性で表示することができる技術を提供することを目的とする。
【課題を解決するための手段】
【００１０】
本発明の第１の態様は、
目標輝度を設定する設定手段と、
前記設定手段で設定された目標輝度の光を発する発光手段と、
目標輝度と透明度の対応関係を表す所定の対応情報から、前記設定手段で設定された目標輝度に対応する透明度を判断する判断手段と、
前記判断手段で判断された透明度のグラフィック画像が重畳された合成画像を表す合成画像データを生成する合成手段と、
前記発光手段からの光を前記合成画像データに基づいて変調することにより、画面上に合成画像を表示する表示手段と、
を有することを特徴とする表示装置である。
【００１１】
本発明の第２の態様は、
目標輝度の光を発する発光手段と、前記発光手段からの光を合成画像データに基づいて変調することにより、画面上に合成画像を表示する表示手段と、を有する表示装置の制御方法であって、
目標輝度を設定する設定ステップと、
目標輝度と透明度の対応関係を表す所定の対応情報から、前記設定ステップで設定された目標輝度に対応する透明度を判断する判断ステップと、
前記判断ステップで判断された透明度のグラフィック画像が重畳された合成画像を表す合成画像データを生成する合成ステップと、
を有することを特徴とする表示装置の制御方法である。
【００１２】
本発明の第３の態様は、上述した表示装置の制御方法の各ステップをコンピュータに実行させることを特徴とするプログラムである。
【発明の効果】
【００１３】
本発明によれば、背景を透過するグラフィック画像を高い視認性で表示することができる。
【図面の簡単な説明】
【００１４】
【図１】実施例１に係る液晶表示装置の構成の一例を示す図
【図２】実施例１に係るＣＰＵの構成の一例を示す図
【図３】実施例１に係る所定の対応情報の一例を示す図
【図４】実施例１に係る液晶表示装置の処理の流れの一例を示す図
【図５】実施例２に係る処理を示す模式図
【図６】実施例２に係る所定の対応情報の一例を示す図
【図７】実施例２に係る液晶表示装置の処理の流れの一例を示す図
【発明を実施するための形態】
【００１５】
＜実施例１＞
以下、本発明の実施例１に係る表示装置及びその制御方法について説明する。
なお、以下では、本実施例に係る表示装置が、透過型の液晶表示装置である場合の例を説明するが、本実施例に係る表示装置はこれに限らない。本実施例に係る表示装置は、発光部からの光を変調することで画面上に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａ
ｎｉｃａｌ  Ｓｙｓｔｅｍ）シャッターを用いたＭＥＭＳシャッター方式ディスプレイであってもよい。
【００１６】
図１は、本実施例に係る液晶表示装置１００の構成の一例を示すハードウエアブロック図である。
【００１７】
レシーバ１０１は、入力画像データを受信（取得）する。入力画像データは、液晶表示装置の外部から内部へ入力された画像データである。入力画像データは、例えば、ＤｉｓｐｌａｙＰｏｒｔ（以下ＤＰ）規格の入力端子を介して液晶表示装置の内部へ入力される。そして、レシーバ１０１は、入力画像データを画像処理部１０２とＣＰＵ１０７に出力する。
【００１８】
画像処理部１０２は、レシーバ１０１から出力された入力画像データに対して所定の画像処理を施すことにより、処理後画像データを生成する。処理の画像処理は、例えば、ガンマ変換処理、色温度（例えば白色の色温度）を変更する画像処理、などである。そして、画像処理部１０２は、処理後画像データを合成部１０３に出力する。
【００１９】
合成部１０３は、画像処理部１０２から出力された処理後画像データとグラフィック生成部１０６によって生成されたグラフィック画像データとを合成することにより、合成画像データを生成する。グラフィック画像データは、グラフィック画像を表す画像データである。グラフィック画像は、例えば、メニュー画像、マーカー画像、等のＯＳＤ（Ｏｎ  Ｓｃｒｅｅｎ  Ｄｉｓｐｌａｙ）画像である。合成画像データは、処理後画像（処理後画像データによって表された画像）にグラフィック画像が重畳された合成画像を表す画像データである。そして、合成部１０３は、合成画像データを表示制御部１０４に出力する。
【００２０】
表示制御部１０４と液晶パネル１０５により、合成画像データに基づく合成画像が画面上に表示される。
表示制御部１０４は、合成部１０３から出力された合成画像データに基づいて、液晶パネル１０５の透過率を制御する。そして、液晶パネル１０５は、バックライト１０９からの光を合成画像データに基づく透過率で透過することにより、画面上に合成画像を表示する。
具体的には、表示制御部１０４は、合成画像データを液晶パネル１０５が有する各液晶素子の駆動信号に変換し、合成画像データを変換して得た駆動信号で各液晶素子を駆動する。それにより、各液晶素子の透過率が合成画像データに基づく値に制御される。バックライト１０９からの光が、各液晶素子を透過することにより、画面上に合成画像が表示される。
【００２１】
グラフィック生成部１０６は、グラフィック画像データを生成する。
【００２２】
ＣＰＵ１０７は、液晶表示装置１００で行われる各種処理を制御するＣＰＵ（Ｃｅｎｔｒａｌ  Ｐｒｏｃｅｓｓｉｎｇ  Ｕｎｉｔ）である。
【００２３】
メモリ１０８は、液晶表示装置１００で使用される各種データを記憶する。例えば、メモリ１０８は、センサ１１０の検出値、バックライト１０９の目標輝度、等を記憶する。
【００２４】
バックライト１０９は、液晶パネル１０５の背面に光を照射する発光部である。本実施例では、バックライト１０９は、部分的に発光輝度を変更可能に構成されている。具体的には、バックライト１０９は、画面の領域を構成する複数の分割領域のそれぞれについて発光輝度を変更可能に構成されている。例えば、バックライト１０９は、複数の分割領域に対応する複数の光源として、発光輝度を個別に制御可能な複数の光源を有する。光源は
１つ以上の発光素子を有する。発光素子として、例えば、ＬＥＤ（Ｌｉｇｈｔ  Ｅｍｉｔｔｉｎｇ  Ｄｉｏｄｅ）、有機ＥＬ素子、冷陰極管、等を用いることができる。
【００２５】
センサ１１０は、バックライト１０９からの光を検出する光センサである。センサ１１０として、例えば、光の輝度を検出する輝度センサを用いることができる。本実施例では、複数のセンサ１１０が互いに異なる位置に設けられている。
【００２６】
キー１１１は、ボタン等のユーザインターフェースであり、ユーザ操作を受け付ける。
【００２７】
上述した複数のハードウエアブロックは内部バス１１２を介して互いに接続されており、ハードウエアブロック間のデータの送受信は内部バス１１２を介して実行される。
【００２８】
図２は、ＣＰＵ１０７の構成の一例を示す機能ブロック図である。図２には、ＣＰＵ１０７以外のハードウエアブロックも示されている。
【００２９】
領域判断部２０１は、レシーバ１０１から出力された入力画像データを解析することにより、入力画像（入力画像データによって表された画像）の領域をモノクロ領域とカラー領域に区分する。本実施例では、入力画像の領域が、分割領域単位でモノクロ領域とカラー領域に区分される。例えば、画素の総数に対するモノクロ画素の総数の割合が閾値以上である分割領域が、モノクロ領域であると判断される。それ以外の分割領域が、カラー領域であると判断される。モノクロ画素は、例えば、Ｒ値＝Ｇ値＝Ｂ値であるＲＧＢ値（画素値）を有する画素である。領域判断部２０１は、分割領域毎にその分割領域がモノクロ領域であるかカラー領域であるかを示す判断結果情報を、バックライト制御部２０７に出力する。また、領域判断部２０１は、入力画像データを画像処理制御部２０２に出力する。
【００３０】
画像処理制御部２０２は、領域判断部２０１から出力された入力画像データに基づいて、所定の画像処理で使用するパラメータの値（パラメータ値）を決定する。画像処理制御部２０２は、決定したパラメータ値を画像処理部１０２に出力する。それにより、画像処理部１０２において、所定の画像処理として、画像処理制御部２０２で決定されたパラメータ値を用いた画像処理が実行される。
なお、モノクロ領域に対するパラメータ値とカラー領域に対するパラメータ値とが個別に決定されてもよい。それにより、モノクロ領域とカラー領域に対して個別に画像処理を施すことができる。
【００３１】
センサ値取得部２０６は、複数のセンサ１１０のそれぞれから検出値（バックライト１０９からの光の検出値）を取得する。そして、センサ値取得部２０６は、取得した複数の検出値をバックライト制御部２０７に出力する。
なお、センサ１１０の検出値がメモリ１０８に記録され、センサ値取得部２０６がメモリ１０８から検出値を取得してもよい。
【００３２】
バックライト制御部２０７は、領域判断部２０１から出力された判断結果情報に基づいて、分割領域毎に目標輝度を設定する。具体的には、バックライト制御部２０７は、モノクロ領域であると判断された分割領域に対して第１目標輝度を設定し、カラー領域であると判断された分割領域に対して第２目標輝度（第１目標輝度とは異なる目標輝度）を設定する。各分割領域の目標輝度は、例えば、メモリ１０８に記録される。
なお、第１目標輝度と第２目標輝度は、メーカ等によって予め定められた固定値であってもよいし、ユーザが変更可能な値であってもよい。
【００３３】
また、バックライト制御部２０７は、センサ値取得部２０６から出力された複数の検出
値に基づいて、バックライト１０９の発光輝度を制御する。
本実施例では、バックライト制御部２０７は、バックライト１０９にバックライト制御値を出力する。そして、バックライト１０９は、バックライト制御値に応じた発光輝度で発光する。
バックライト制御部２０７は、複数の検出値に基づいて、分割領域毎に、その分割領域におけるバックライト光の輝度が当該分割領域に対して設定された目標輝度と一致するように、当該分割領域に対応する光源用のバックライト制御値を決定する。そして、バックライト制御部２０７は、決定したバックライト制御値をバックライト１０９に出力する。検出値と目標輝度に基づいて決定されたバックライト制御値で光源が駆動されることにより、設定された目標輝度の光がバックライト１０９から発せられる。具体的には、バックライト１０９では、分割領域毎に、その分割領域に対して設定された目標輝度の光が発せられることとなる。
このように、本実施例では、バックライト１０９の発光輝度が、目標輝度に一致するようにフィードバック制御される。
【００３４】
なお、目標輝度を設定する処理とバックライト１０９の発光輝度を制御する処理とは、互いに異なる機能ブロックまたはハードウエアブロックによって実現されてもよい。
【００３５】
入力検出部２０８は、キー１１１からユーザ操作を表す操作情報を取得する。そして、入力検出部２０８は、取得した操作情報をキーコードに変換し、キーコードをシステム管理部２０４に出力する。
【００３６】
システム管理部２０４は、キー１１１に対するユーザ操作が行われた場合に、当該ユーザ操作がグラフィック画像を表示する操作（グラフィック表示操作）であるか否かを判断する。具体的には、システム管理部２０４は、入力検出部２０８から出力されたキーコードがグラフィック表示操作を表すキーコードであるか否かを判断する。そして、グラフィック表示操作を表すキーコードが入力検出部２０８から出力された場合に、システム管理部２０４は、グラフィック表示操作に応じたグラフィック画像データの生成を、グラフィック制御部２０３に指示する。
なお、グラフィック表示操作を表すキーコードが入力検出部２０８から出力された場合に、当該キーコードがシステム管理部２０４からグラフィック制御部２０３に出力されてもよい。そして、グラフィック制御部２０３において、システム管理部２０４から出力されたキーコード（ユーザによって行われたグラフィック表示操作）に応じた処理が行われてもよい。
【００３７】
グラフィック制御部２０３は、システム管理部２０４からの指示（グラフィック画像データを生成する指示）に応じて、グラフィック画像の表示位置とグラフィック画像の画素値を決定する。そして、グラフィック制御部２０３は、決定した表示位置と画素値をグラフィック生成部１０６に出力する。グラフィック生成部１０６では、グラフィック制御部２０３から出力された表示位置に配置されたグラフィック画像を表し、且つ、グラフィック制御部２０３から出力された画素値を有するグラフィック画像を表すグラフィック画像データが生成される。
【００３８】
また、グラフィック制御部２０３は、グラフィック画像の透明度に関するα値を透明度決定部２０５から取得し、取得したα値を合成部１０３に出力する。本実施例では、α値として、グラフィック画像の透明度が低いほど高く、グラフィック画像の透明度が高いほど低い値が使用される。換言すれば、α値として、グラフィック画像を透過する背景の透過度合いが低いほど高く、グラフィック画像を透過する背景の透過度合いが高いほど低い値が使用される。このようなα値は“グラフィック画像の不透明度”と呼ぶこともできる。そして、合成部１０３では、α値に応じた重みで処理後画像データの画素値とグラフィ
ック画像データの画素値を重みづけ合成することにより、α値に対応する透明度のグラフィック画像が重畳された合成画像を表す合成画像データが生成される。
なお、α値として、グラフィック画像の透明度が高いほど高く、グラフィック画像の透明度が低いほど低い値が使用されてもよい。そのようなα値は“グラフィック画像の透明度”と呼ぶこともできる。
【００３９】
透明度決定部２０５は、目標輝度と透明度の対応関係を表す所定の対応情報から、設定された目標輝度に対応する透明度を判断する。所定の対応情報は、例えば、メモリ１０８に予め記録されている。
本実施例では、グラフィック制御部２０３は、グラフィック画像の表示位置を透明度決定部２０５に出力する。そして、透明度決定部２０５は、グラフィック画像の表示位置を含む分割領域に対して設定された目標輝度に対応する透明度を判断する。
【００４０】
本実施例では、画素値と目標輝度の組み合わせと透明度との関係を表す情報が所定の対応情報として使用される。具体的には、所定の対応情報として、図３に示すテーブルが使用される。図３のテーブルは、インデックスと目標輝度の組み合わせ毎にα値を表す。インデックスは、画素値（Ｒ値とＧ値とＢ値の組み合わせ）を表す番号である。
グラフィック制御部２０３は、グラフィック画像の表示位置とインデックス（グラフィック画像の画素値に対応するインデックス）を透明度決定部２０５に出力する。
透明度決定部２０５は、グラフィック画像の表示位置を含む分割領域に対して設定された目標輝度を、バックライト制御部２０７（またはメモリ１０８）から取得する。そして、透明度決定部２０５は、グラフィック画像の画素毎に、その画素のインデックスと取得した目標輝度との組み合わせに対応するα値を、図３に示すテーブルから取得する。例えば、目標輝度が２００ｃｄ／ｍ２である場合には、インデックスが０である画素のα値として１５０が取得される。換言すれば、目標輝度が２００ｃｄ／ｍ２である場合には、画素値（Ｒ値，Ｇ値，Ｂ値）が（２５５，０，０）である画素のα値として１５０が取得される。その後、透明度決定部２０５は、グラフィック画像の各画素のα値をグラフィック制御部２０３に出力する。
【００４１】
なお、図３の例では、目標輝度が高いほど高いα値が示されている。即ち、図３の例では、目標輝度が高いほど低い透明度が示されている。しかしながら、目標輝度と透明度の対応関係はこれに限らない。目標輝度と透明度の様々な組み合わせについてグラフィック画像の視認性を確認する実験を事前に行い、最も高い視認性が得られる透明度を採用した情報が所定の対応情報として用意されることが好ましい。
なお、所定の対応情報として、テーブルではなく関数が使用されてもよい。
【００４２】
図４を用いて、液晶表示装置１００の処理の流れの一例について説明する。図４の処理フローは、例えば、システム管理部２０４がキーコードを受信する度に行われる。
【００４３】
まず、システム管理部２０４が、受信したキーコードがグラフィック表示操作を表すキーコードであるか否かを判断する（Ｓ１０１）。システム管理部２０４が受信したキーコードがグラフィック表示操作を表すキーコードである場合には、システム管理部２０４からグラフィック制御部２０３にグラフィック生成指示が出力され、Ｓ１０２に処理が進められる。グラフィック生成指示は、システム管理部２０４が受信したキーコードに応じたグラフィック画像を生成する指示である。システム管理部２０４が受信したキーコードがグラフィック表示操作を表すキーコードでない場合には、本フローが終了される。
【００４４】
Ｓ１０２では、グラフィック制御部２０３が、グラフィック生成指示に応じて、グラフィック画像の表示位置と画素値を決定する。グラフィック制御部２０３は、決定した表示位置と画素値を、グラフィック生成部１０６に出力する。また、グラフィック制御部２０
３は、決定した表示位置と決定した画素値に対応するインデックスとを、透明度決定部２０５に出力する。
【００４５】
次に、透明度決定部２０５が、グラフィック制御部２０３から出力された表示位置を含む分割領域に対して設定された目標輝度を、バックライト制御部２０７から取得する（Ｓ１０３）。
【００４６】
そして、透明度決定部２０５が、グラフィック制御部２０３から出力されたインデックスとＳ１０３で取得した目標輝度とに対応するα値を、図３に示すテーブルから取得する（Ｓ１０４）。
【００４７】
次に、透明度決定部２０５が、グラフィック画像の全ての画素についてα値が取得されたか否かを判断する（Ｓ１０５）。α値が取得されていない画素が存在する場合には、Ｓ１０４に処理が戻される。そして、グラフィック画像の全ての画素についてα値が取得されるまで、Ｓ１０４とＳ１０５の処理が繰り返される。グラフィック画像の全ての画素についてα値が取得された後、Ｓ１０６に処理が進められる。各画素のα値は、透明度決定部２０５から、グラフィック生成部１０６を介して合成部１０３へ出力される。
なお、α値は、透明度決定部２０５から、グラフィック生成部１０６をバイパスして合成部１０３へ出力されてもよい。
【００４８】
Ｓ１０６では、グラフィック生成部１０６が、グラフィック制御部２０３から出力された表示位置と画素値に従ってグラフィック画像データを生成し、生成したグラフィック画像データを合成部１０３に出力する。そして、合成部１０３が、処理後画像データとグラフィック画像データを合成することにより、合成画像データを生成する。グラフィック画像が重畳されない領域については、処理後画像データの画素値が合成画像データの画素値として使用される。グラフィック画像が重畳される領域については、画素毎に、その画素のα値に応じた重みで処理後画像データの画素値とグラフィック画像データの画素値を重みづけ合成した値が、合成画像データの画素値として使用される。
【００４９】
以上述べたように、本実施例によれば、グラフィック画像が重畳される位置の目標輝度に応じてグラフィック画像の透明度が制御される。それにより、背景を透過するグラフィック画像を高い視認性で表示することができる。
【００５０】
なお、本実施例では、分割領域毎に目標輝度が設定される例を説明したが、画面の領域全体に対する１つの目標輝度が設定されてもよい。また、どのような値が目標輝度として設定されてもよい。例えば、入力画像データの種類に応じた値が目標輝度として設定されてもよいし、ユーザが指示した値が目標輝度として設定されてもよいし、表示モードに応じた値が目標輝度として設定されてもよい。表示モードは、例えば、映画の画像データを表示するのに適した“シアターモード”、ゲームの画像データを表示するのに適した“ゲームモード”、リビングでの視認に適した“リビングモード”、などである。
画面全体に対する１つの目標輝度が設定された場合には、グラフィック制御部２０３は、グラフィック画像の表示位置を透明度決定部２０５に出力しなくてもよい。
【００５１】
なお、本実施例では、所定の対応情報が、グラフィック画像の画素値に依存して変化する透明度を表す例を説明したが、所定の対応情報はこれに限らない。例えば、所定の対応情報は、目標輝度毎に透明度（各画素値に共通の透明度）を表す情報であってもよい。所定の対応情報が目標輝度毎に透明度を表す情報であっても、目標輝度に応じてグラフィック画像の透明度が制御されることにより、グラフィック画像を高い視認性で表示することができる。
所定の対応情報が目標輝度毎に透明度を表す情報である場合には、グラフィック制御部
２０３は、グラフィック画像の各画素のインデックスを透明度決定部２０５に出力しなくてもよい。
但し、グラフィック画像の画素の見易さは、当該画素の透明度だけでなく、当該画素の画素値にも依存する。そのため、所定の対応情報として、画素値と目標輝度の組み合わせ毎に透明度を表す情報を用いることが好ましい。画素値と目標輝度の組み合わせ毎に透明度を示す情報を用いれば、目標輝度毎に透明度（各画素値に共通の透明度）を表す情報を用いた場合に比べて、グラフィック画像の視認性をより高めることができる。
【００５２】
なお、本実施例では、入力画像データに所定の画像処理を施す例を説明したが、所定の画像処理は行われなくてもよい。入力画像データとグラフィック画像データを合成することにより、合成画像データが生成されてもよい。
【００５３】
＜実施例２＞
以下、本発明の実施例２に係る表示装置及びその制御方法について説明する。
なお、本実施例に係る液晶表示装置のハードウエア構成と機能構成は実施例１（図１，２）と同様であるため、その説明は省略する。
【００５４】
本実施例では、グラフィック画像の画素毎に、透明度の初期値である初期透明度が設定されているものとする。具体的には、初期透明度として、グラフィック画像の画素値に応じた透明度が設定されている。
そして、透明度決定部２０５が、グラフィック画像の各画素の初期透明度に基づいて、グラフィック画像の画素間で共通の透明度（追加透明度）を決定する。
その後、合成部１０３が、各画素が追加透明度と初期透明度とを合成した透明度（最終透明度）を有するグラフィック画像が重畳された合成画像を表す合成画像データを生成する。
【００５５】
図５は、本実施例に係る処理を示す模式図である。図５には、メインプレーン、グラフィックプレーン、及び、α値変更プレーンの３つのプレーンが示されている。メインプレーンは、処理後画像を含むプレーンである。グラフィックプレーンは、グラフィック画像を含むプレーンである。グラフィックプレーンにおいて、グラフィック画像の画素毎に初期α値が定められている。α値変更プレーンは、画面全体に対して１つの追加α値（追加透明度に対応するα値）を有する。
透明度決定部２０５は、グラフィック画像の各画素の初期α値に基づいて追加α値を決定する。
合成部１０３は、初期α値と追加α値を合成することにより最終α値（最終透明度に対応するα値）を算出する処理をグラフィック画像の画素毎に行う。そして、合成部１０３は、最終α値に応じた重みで処理後画像データの画素値とグラフィック画像データの画素値を重みづけ合成することにより、各画素の透明度が最終透明度であるグラフィック画像が重畳された合成画像を表す合成画像データを生成する。
【００５６】
なお、最終α値の算出方法はα値の定義に応じて決まるものであり、特に限定さるものではない。例えば、α値が０以上１以下の値であり、α値がグラフィック画像の画素値の重みとして使用され、１−α値が処理後画像の画素値の重みとして使用される場合には、初期α値に追加α値を乗算することにより、最終α値を算出することができる。
なお、最終α値を算出せずに、初期α値と追加α値を用いて処理後画像の画素値とグラフィック画像の画素値とが合成されてもよい。
【００５７】
追加透明度の決定方法について説明する。
本実施例では、所定の対応情報として、初期透明度と目標輝度の組み合わせと追加透明度との対応関係を表す情報が使用される。具体的には、所定の対応情報として、図６に示
すテーブルが使用される。図６のテーブルは、初期α値と目標輝度の組み合わせ毎に追加α値を表す。
透明度決定部２０５は、実施例１と同様に、グラフィック画像の表示位置を含む分割領域に対して設定された目標輝度を、バックライト制御部２０７から取得する。また、透明度決定部２０５は、グラフィック画像の各画素のインデックスから、グラフィック画像の各画素の初期α値を判断する。そして、透明度決定部２０５は、グラフィック画像の各画素の初期α値の最小値と、上記取得した目標輝度と、の組み合わせに対応する追加α値を、図６に示すテーブルから取得する。例えば、グラフィック画像の各画素の初期α値の最小値が５０であり、目標輝度が５０ｃｄ／ｍ２である場合には、追加α値として６０が取得される。その後、透明度決定部２０５は、上記取得した追加α値を、グラフィック制御部２０３を介して合成部１０３に出力する。グラフィック画像の各画素の初期α値の最小値は、グラフィック画像の各画素の初期透明度の最大値に対応するα値である。
【００５８】
なお、所定の対応情報において、追加透明度は、最も高い視認性が得られる透明度が最終透明度として得られるように定められていることが好ましい。最も高い視認性が得られる透明度は、目標輝度と透明度の様々な組み合わせについてグラフィック画像の視認性を確認する実験を事前に行うことで決定することができる。
【００５９】
図７を用いて、本実施例に係る液晶表示装置の処理の流れの一例について説明する。図７の処理フローは、例えば、システム管理部２０４がキーコードを受信する度に行われる。
【００６０】
まず、システム管理部２０４が、受信したキーコードがグラフィック表示操作を表すキーコードであるか否かを判断する（Ｓ２０１）。システム管理部２０４が受信したキーコードがグラフィック表示操作を表すキーコードである場合には、システム管理部２０４からグラフィック制御部２０３にグラフィック生成指示が出力され、Ｓ２０２に処理が進められる。システム管理部２０４が受信したキーコードがグラフィック表示操作を表すキーコードでない場合には、本フローが終了される。
【００６１】
Ｓ２０２では、グラフィック制御部２０３が、グラフィック生成指示に応じて、グラフィック画像の表示位置と画素値を決定する。グラフィック制御部２０３は、決定した表示位置と画素値を、グラフィック生成部１０６に出力する。また、グラフィック制御部２０３は、決定した表示位置と決定した画素値に対応するインデックスとを、透明度決定部２０５に出力する。
【００６２】
次に、透明度決定部２０５が、グラフィック制御部２０３から出力された表示位置を含む分割領域に対して設定された目標輝度を、バックライト制御部２０７から取得する（Ｓ２０３）。
【００６３】
そして、透明度決定部２０５が、グラフィック制御部２０３から出力されたインデックスに対応する初期α値を、図６に示すテーブルから取得する（Ｓ２０４）。本処理により、グラフィック画像の各画素の初期α値が取得される。各画素の初期α値は、透明度決定部２０５から、グラフィック生成部１０６を介して合成部１０３へ出力される。
【００６４】
次に、透明度決定部２０５が、Ｓ２０４で取得された初期α値の最小値とＳ２０３で取得された目標輝度とに対応する追加α値を、図６に示すテーブルから取得する（Ｓ２０５）。追加α値は、透明度決定部２０５から、グラフィック生成部１０６を介して合成部１０３へ出力される。
【００６５】
そして、合成部１０３が、初期α値と追加α値を合成することにより最終α値を決定す
る処理を、グラフィック画像の画素毎に行う（Ｓ２０６）。換言すれば、追加α値を用いて初期α値が補正される。
【００６６】
次に、グラフィック生成部１０６が、グラフィック制御部２０３から出力された表示位置と画素値に従ってグラフィック画像データを生成し、生成したグラフィック画像データを合成部１０３に出力する（Ｓ２０７）。そして、合成部１０３が、処理後画像データとグラフィック画像データを合成することにより、合成画像データを生成する。グラフィック画像が重畳されない領域については、処理後画像データの画素値が合成画像データの画素値として使用される。グラフィック画像が重畳される領域については、画素毎に、その画素の最終α値に応じた重みで処理後画像データの画素値とグラフィック画像データの画素値を重みづけ合成した値が、合成画像データの画素値として使用される。
【００６７】
以上述べたように、本実施例によれば、グラフィック画像が重畳される位置の目標輝度とグラフィック画像の初期α値とに基づいて追加α値が決定される。そして、グラフィック画像の画素毎に、初期α値と追加α値を合成した値が最終α値として使用される。即ち、本実施例によれば、目標輝度を考慮してグラフィック画像のα値が補正される。それにより、グラフィック画像のα値が予め設定されている場合においても、背景を透過するグラフィック画像を高い視認性で表示することができる。
なお、本実施例では、初期α値がグラフィック画像の画素値に応じた値である場合の例を説明したが、初期α値はこれに限らない。予め設定された値であれば、初期α値はどのような値であってもよい。
【００６８】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６９】
１００  液晶表示装置
１０３  合成部
１０５  液晶パネル
１０９  バックライト
２０５  透明度決定部
２０７  バックライト制御部
【図１】
2015138258.tif 000003
【図２】
2015138258.tif 000004
【図３】
2015138258.tif 000005
【図４】
2015138258.tif 000006
【図５】
2015138258.tif 000007
【図６】
2015138258.tif 000008
【図７】
2015138258.tif 000009